(57)【特許請求の範囲】
【請求項１】
パチンコ遊技場に設置された複数のパチンコ機設置島のそれぞれ内部に、各パチンコ機から排出されるアウト球を集合するアウト球タンクと該アウト球タンクのパチンコ球を上方の島タンクに揚送して再度各パチンコ機に補給するための研磨揚送リフトと補給球プールタンクとを設け、パチンコ機設置島の外部には交換球プールタンクを設けると共に、該交換球プールタンクの上部に交換球計数器と交換球プールタンク内の球量の増減により作動して交換球計数器を使用可能にしたり使用停止にするゲート部材を設け、前記アウト球タンク内の球量が減少すると補給球プールタンク内の補給球を研磨揚送リフトに導き、補給球プールタンク内の球量が減少すると交換球プールタンク内の交換球を補給球プールタンクに導き、さらに交換球プールタンク内の球量が減少すると交換球計数器を使用停止状態にしているゲート部材を作動して該交換球計数器を使用可能な状態にするようにした島単位補給装置において、
前記交換球プールタンクの内部に該交換球プールタンクに貯留されたパチンコ球の球量の増減に伴う球圧によって揺動する球圧受板を設け、該球圧受板の揺動に連動させて前記ゲート部材をエアーの圧力により作動させるようにしたことを特徴とするパチンコ遊技場におけるパチンコ機への島単位補給装置。
【請求項２】
パチンコ遊技場に設置された複数のパチンコ機設置島のそれぞれ内部に、各パチンコ機から排出されるアウト球を集合するアウト球タンクと該アウト球タンクのパチンコ球を上方の島タンクに揚送して再度各パチンコ機に補給するための研磨揚送リフトと補給球プールタンクとを設け、パチンコ機設置島の外部には交換球プールタンクを設けると共に、該交換球プールタンクの上部に交換球計数器と交換球プールタンク内の球量の増減により作動して交換球計数器を使用可能にしたり使用停止にするゲート部材を設け、前記アウト球タンク内の球量が減少すると補給球プールタンク内の補給球を研磨揚送リフトに導き、補給球プールタンク内の球量が減少すると交換球プールタンク内の交換球を補給球プールタンクに導き、さらに交換球プールタンク内の球量が減少すると交換球計数器を使用停止状態にしているゲート部材を作動して該交換球計数器を使用可能な状態にするようにした島単位補給装置において、
前記交換球プールタンクの内部に該交換球プールタンクに貯留されたパチンコ球の球量の増減に伴う球圧によって揺動する球圧受板と該球圧受板の揺動によって開閉するバルブとを設け、前記ゲート部材にはエアシリンダを連結すると共に該エアシリンダとコンプレッサとを前記バルブを介してエアーホースで接続し、
前記球圧受板の揺動によって前記バルブが開放されると前記ゲート部材がエアーの圧力によって作動するようにしたことを特徴とするパチンコ遊技場におけるパチンコ機への島単位補給装置。
【発明の詳細な説明】
【０００１】
【発明の属する技術分野】
本発明は、複数のパチンコ機設置島が設置されたパチンコ遊技場において、各パチンコ機設置島毎に営業に必要な球量を保有させて各島単位でパチンコ機への補給を行わせるようにした島単位補給装置に関するものである。
【０００２】
【従来の技術】
従来、パチンコ遊技場におけるパチンコ機への島単位補給装置として、パチンコ機を複数台並べて構成される複数のパチンコ機設置島のそれぞれ内部に、各パチンコ機から排出されるアウト球を集合するアウト球タンクと該アウト球タンクのパチンコ球を上方の島タンクに揚送して再度各パチンコ機に補給するための研磨揚送リフトと補給球プールタンクとを設け、パチンコ機設置島の外部には交換球プールタンクを設けると共に、該交換球プールタンクの上部に交換球計数器と交換球プールタンク内の球量の増減により作動して交換球計数器を使用可能にしたり使用停止にするゲート部材を設けてなる構成を有するものが知られていた（例えば本出願人による特公平６−３２６８７号公報参照）。
【０００３】
このような構成からなる島単位補給装置は、アウト球タンク内の球量が減少すると補給球プールタンク内の補給球を研磨揚送リフトに導き、補給球プールタンク内の球量が減少すると交換球プールタンク内の交換球を補給球プールタンクに導き、さらに交換球プールタンク内の球量が減少すると交換球計数器を使用停止状態にしているゲート部材を作動して該交換球計数器を使用可能な状態にするものである。
【０００４】
【発明が解決しようとする課題】
ところで、上記した従来の島単位補給装置は、補給球プールタンクと交換球プールタンクにそれぞれ球量センサを設け、該球量センサからの電気信号によってモーターを駆動し、該モーターの駆動によってゲート部材を作動させるようにしていた。
【０００５】
このため、各ゲート部材ごとにそれぞれモーターを必要とする上、球量センサとモーターとの配線作業が面倒で手間が掛かり製作コストが高くつくという問題点があった。
【０００６】
また、ゲート部材をモーターの駆動で作動させると、例えばゲート部材の作動時に遊技客の手を押さえ込むような事態が発生した場合、その手を強く圧迫するようなことになって遊技客に不安を感じさせるという問題点があった。
【０００７】
本発明は、上記した問題点に鑑みてなされたもので、その目的とするところは、製作コストが安くて済み、しかも遊技客に不安を感じさせることがないようなパチンコ遊技場におけるパチンコ機への島単位補給装置を提供することにある。
【０００８】
【課題を解決するための手段】
上記した目的を達成するために、本発明は、パチンコ遊技場に設置された複数のパチンコ機設置島のそれぞれ内部に、各パチンコ機から排出されるアウト球を集合するアウト球タンクと該アウト球タンクのパチンコ球を上方の島タンクに揚送して再度各パチンコ機に補給するための研磨揚送リフトと補給球プールタンクとを設け、パチンコ機設置島の外部には、交換球プールタンクを設けると共に、該交換球プールタンクの上部に交換球計数器と交換球プールタンク内の球量の増減により作動して交換球計数器を使用可能にしたり使用停止にするゲート部材を設け、前記アウト球タンク内の球量が減少すると補給球プールタンク内の補給球を研磨揚送リフトに導き、補給球プールタンク内の球量が減少すると交換球プールタンク内の交換球を補給球プールタンクに導き、さらに交換球プールタンク内の球量が減少すると交換球計数器を使用停止状態にしているゲート部材を作動して該交換球計数器を使用可能な状態にするようにした島単位補給装置において、前記交換球計数器を使用可能にしたり使用停止にするゲート部材をエアーの圧力により作動させるようにしたものである。
【０００９】
前記ゲート部材をエアーの圧力で作動させるために、交換球プールタンクに球圧を受けて揺動する球圧受板と該球圧受板の揺動によって開閉するマイクロバルブを設け、ゲート部材にはエアシリンダを連結し、該エアシリンダとコンプレッサとをマイクロバルブを介してエアーホースで接続するとよい。
【００１０】
上記のように構成された本発明は、１台のコンプレッサーで複数のパチンコ機設置島に設けられた各ゲート部材を作動させることができるため、製作コストを安価にすることができ、しかもゲート部材の作動時に遊技客の手を押さえ込むような事態が発生してもソフトで強く圧迫されるようなことがなくなり遊技客が安心して使用することができる。
【００１１】
【発明の実施の形態】
次に、本発明の一実施の形態を図面に従い説明する。図１はパチンコ遊技場の概略平面図、図２はパチンコ機設置島の内部を示す概略正面図である。図において、１はパチンコ遊技場２内に間隔を保って複数配置されたパチンコ機設置島である。
【００１２】
このパチンコ機設置島１は、図２に示すように複数台のパチンコ機１０が背向きして並設され、その中央に研磨揚送リフト１１とアウト球リフト１２が設けられている、各パチンコ機１０の下方にはアウト球リフト１２の下端に向って下り傾斜するアウト球集合樋１３が配設されており、各パチンコ機１０から排出されるアウト球（打込球）はアウト球集合樋１３で集合されると共に、アウト球リフト１２でアウト球タンク１４にプールされるようになっている。そして、アウト球タンク１４にプールされたアウト球としてのパチンコ球は研磨揚送リフト１１に送り込まれて上方の島タンク１５に揚送され、補給樋３７を介して各パチンコ機１０及びその台間に設けられた球貸機（図示せず）に還元補給される。１１ａは研磨揚送リフト駆動用のモーター、１２ａはアウト球リフト駆動用モーターである。
【００１３】
一方、前記研磨揚送リフト１１の近くには、アウト球タンク１４と連通状に補給球プールタンク１６が設けられている。また、パチンコ機設置島１の端部外方には図３に示すように交換球プールタンク１７が設けられており、該交換球プールタンク１７の上部に交換球計数器１８とゲート部材１９が台板２７を介して設けられている。ゲート部材１９は、例えばアクリル等の透明な合成樹脂により交換球計数器１８の上面全体を覆うことができる大きさの板状に形成されており、これの後端部両側が軸１９ａ，１９ａによって台板２７に前後方向へ開閉自在に取付けられている。
【００１４】
前記交換球プールタンク１７の背面側には交換球リフト２０が設けられており、これの上部出口がアウト球集合樋１３の上流側に臨まされている。この交換球リフト２０は、内部に螺旋体２０ａを有し、モーター２０ｂによる螺旋体２０ａの回転で交換球プールタンク１７に一時的にプールされる交換球をアウト球集合樋１３に送り込むようになっている。
【００１５】
前記補給球プールタンク１６には、その球量が減少すると交換球リフト２０のモーター２０ｂを駆動する球量センサ２１が設けられている。２２は球研磨用のチップタンク、２３はアウト球タンク１４内のパチンコ球をチップと一緒に研磨揚送リフト１１に供給するためのモーター、２４はチップ分離タンク、２５はパチンコ球と分離されたチップをチップタンク２２へ還元するパイプ、２６は島タンク１５の余剰球を補給球プールタンク１６に還流するパイプである。
【００１６】
しかして、本発明によれば、前記ゲート部材１９を交換球プールタンク１７にプールされる球量の増減に伴ないエアーの圧力によって開閉作動させるようにしたものである。
【００１７】
このため、図４に示すように交換球プールタンク１７に球圧を受けて前後方向へ揺動する球圧受板２８と、該球圧受板２８の揺動によって開閉するマイクロバルブ２９を設けている。また、台板２７にエアシリンダ３０を揺動自在に装着し、ゲート部材１９にエアシリンダ３０のシリンダ軸３１を枢着している。そして、パチンコ遊技場２の適宜位置に配設されたコンプレッサ３２とマイクロバルブ２９とをエアーホース３３で接続し、さらにマイクロバルブ２９とエアシリンダ３０とをエアバルブ３４、エアーホース３５，３６を介して接続させている。
【００１８】
上記のように構成された島単位補給装置は、各パチンコ機設置島１のパチンコ機１０，アウト球タンク１４，補給球プールタンク１６及び交換球プールタンク１７のそれぞれに、営業に必要な球量（例えばパチンコ機１台当り４５００個）をあらかじめプールして保有させておく。このとき、補給球プールタンク１７の球量センサ２１はプールされた球によってオフ状態に保たれている。
【００１９】
また、前記ゲート部材１９は、交換球プールタンク１７に設けられた球圧受板２８が球重量によつて下向きに揺動されてマイクロバルブ２９を押圧し、これによって該マイクロバルブ２９が閉じてコンプレッサ３２からのエアーを遮断することになるため、図３及び図４鎖線のようにエアーシリンダ３０のシリンダ軸３１が引込んで下方に回動付勢された状態すなわち交換球計数器１８の上方を覆って使用停止状態とする。
【００２０】
一方、前記研磨揚送リフト１１及びアウト球リフト１２は常時運行されており、このため各パチンコ機１０からアウト球集合樋１３上に排出されるアウト球はアウト球タンク１４に集められて研磨揚送リフト１１により上方の島タンク１５に揚送され、該島タンク１５から補給樋３７を介して各パチンコ機１０に還元補給されることになる。なお、通常遊技客は各パチンコ機１０の台間に設けられる球貸機から球を購入して遊技を行うものであるから、アウト球集合樋１３に排出されるアウト球が多くなってもそのアウト球が各パチンコ機１０及びその台間の球貸機に還元補給されることになるため、パチンコ機設置島１の保有球量が過剰になることはなく島単位の還元補給が支障なく行われる。
【００２１】
この状態で、例えば各パチンコ機１０の出球が多くなりアウト球タンク１４の球量が減少すると補給球プールタンク１６の球が研磨揚送リフト１１に送り込まれて各パチンコ機１０に補給される。また、補給球プールタンク１６の球量が減少すると球量センサ２１が作動して交換球リフト２０のモーター２０ｂを駆動し、それによって交換球プールタンク１７の球がアウト球集合樋１３に送り込まれて補給球プールタンク１６に導かれる。そして、交換球プールタンク１７の球量が減少すると球圧受板２８が上動してマイクロバルブ２９を開く。
【００２２】
このように交換球プールタンク１７の球量の減少に伴ないマイクロバルブ２９が開かれるとコンプレッサ３２からのエアーの圧力でエアシリンダ３０のシリンダ軸３１が突出し、図３及び図４実線のようにゲート部材１９を上方へ回動させて交換球計数器１８を使用可能なように開放する。そして、交換球計数器１８で交換された球は交換球プールタンク１７にプールされて再び各パチンコ機設置島１に還元される。なお、コンプレッサ３２とエアシリンダ３０との間に介在させたエアバルブ３４は、交換球プールタンク１７の球圧受板２８の揺動によるマイクロバルブ２９の開閉動作を適宜に調整する作用を行わせるもので、これによつて交換球プールタンク１７の球量の増減に幅をもたせてゲート部材１９を開閉させることができる。
【００２３】
【発明の効果】
以上、説明したところから明らかなように、本発明に係るパチンコ遊技場におけるパチンコ機への島単位補給装置は、複数のパチンコ機設置島の外部に設けられた交換球計数器を当該パチンコ機設置島内の循環保有球量の増減によって使用可能にしたり使用停止にするゲート部材をエアーの圧力により作動させるようにしたものであるから、一台のコンプレッサで複数のパチンコ機設置島に設けられた交換球計数器の各ゲート部材をそれぞれ１本のエアーホースで接続することができるため、従来のように面倒な配線作業を行う必要がなくなって製作コストが安価にできる。
【００２４】
また、ゲート部材の作動時に遊技客の手を押さえ込むような事態が発生してもエアーの圧力によるためソフトで強く圧迫するようなことがなく安心して使用することができる。
【図面の簡単な説明】
【図１】本発明に係るパチンコ遊技場の概略平面図である。
【図２】パチンコ器設置島の内部構造を示す概略正面図である。
【図３】図２のパチンコ機設置島の端部の拡大正面図である。
【図４】交換球計数器のゲート部材とコンプレッサとの関連構造を説明する概略斜視図である。
【符号の説明】
１        パチンコ機設置島
１０      パチンコ機
１１      研磨揚送リフト
１４      アウト球タンク
１５      島タンク
１６      補給球プールタンク
１７      交換球プールタンク
１８      交換球計数器
１９      ゲート部材
【図１】
0004113595.tif 000002
【図２】
0004113595.tif 000003
【図３】
0004113595.tif 000004
【図４】
0004113595.tif 000005